(57)【要約】【課題】バー形態のディスプレイ装置を提供する。【解決手段】主正面と主背面を備えるバー形態のディスプレイ装置が提供され、主正面に第１のディスプレイ画面が配置され、主背面に第１のディスプレイ画面とは異なる第２のディスプレイ画面が配置される。一実施例では、背面画面は、双安定性画面である。【選択図】  図１
2013545334.tif 000002
【特許請求の範囲】
【請求項１】
主正面と主背面を備え、前記主正面には第１のディスプレイ画面が配置され、前記主背面には前記第１のディスプレイ画面とは異なる第２のディスプレイ画面が配置されることを特徴とするバー形態のディスプレイ装置。
【請求項２】
前記第２のディスプレイ画面に、エレクトロウェッティング技術を用いることを特徴とする請求項１に記載のバー形態のディスプレイ装置。
【請求項３】
前記第２のディスプレイ画面に、グレースケールのパネルを用いることを特徴とする請求項１に記載のバー形態のディスプレイ装置。
【請求項４】
前記第２のディスプレイ画面に、双安定性ディスプレイ画面を用いることを特徴とする請求項１に記載のバー形態のディスプレイ装置。
【請求項５】
装置外観は、前記双安定性ディスプレイ画面に表示される内容を変更することによって、変更可能であることを特徴とする請求項４に記載のバー形態のディスプレイ装置。
【請求項６】
前記双安定性ディスプレイ画面は、双安定性アクティブマトリクス型で高解像度のディスプレイ画面であることを特徴とする請求項４又は５に記載のバー形態のディスプレイ装置。
【請求項７】
前記双安定性ディスプレイ画面は、電子インクの双安定性ディスプレイ画面であることを特徴とする請求項４乃至６の何れか１項に記載のバー形態のディスプレイ装置。
【請求項８】
前記第２のディスプレイ画面は、ガラスの下に設けられた電子ペーパーディスプレイであることを特徴とする請求項４乃至６の何れか１項に記載のバー形態のディスプレイ装置。
【請求項９】
前記第２のディスプレイ画面に、干渉変調技術を用いることを特徴とする請求項４乃至６の何れか１項に記載のバー形態のディスプレイ装置。
【請求項１０】
前記装置外観は、コンテキスト関連性を有することを特徴とする請求項１乃至９の何れか１項に記載のバー形態のディスプレイ装置。
【請求項１１】
前記コンテキスト関連性を有する装置外観は、場所に基づく広告を含むことを特徴とする請求項１０に記載のバー形態のディスプレイ装置。
【請求項１２】
前記コンテキスト関連性を有する装置外観は、場所に基づく検索結果を含むこと特徴とする請求項１０又は１１に記載のバー形態のディスプレイ装置。
【請求項１３】
前記装置外観は、異なる電話ケースの外観が与えられるように変更可能であることを特徴とする請求項１乃至１２の何れか１項に記載のバー形態のディスプレイ装置。
【請求項１４】
前記装置のスキンは、変更可能であることを特徴とする請求項１乃至１３の何れか１項に記載のバー形態のディスプレイ装置。
【請求項１５】
前記装置のスキンは、壁紙、写真、動画、又はユーザがカスタマイズしたコンテンツのうちの一つ以上であることを特徴とする請求項１４に記載のバー形態のディスプレイ装置。
【請求項１６】
前記背面は、装置ケースの一部のように見えることを特徴とする請求項１乃至１５の何れか１項に記載のバー形態のディスプレイ装置。
【請求項１７】
前記第２のディスプレイ画面は、低消費電力であることを特徴とする請求項１乃至１６の何れか１項に記載のバー形態のディスプレイ装置。
【請求項１８】
前記第１のディスプレイ画面と前記第２のディスプレイ画面は、類似の解像度を有することを特徴とする請求項１乃至１７の何れか１項に記載のバー形態のディスプレイ装置。
【請求項１９】
前記第２のディスプレイ画面は、約４インチの画面サイズに対して、３００ｍＡｈの電気量を使用して、少なくとも約１０００回の全画面の更新を提供することを特徴とする請求項１乃至１８の何れか１項に記載のバー形態のディスプレイ装置。
【請求項２０】
前記第２のディスプレイ画面は、毎分２回程度の頻度で更新を実施可能であることを特徴とする請求項１乃至１９の何れか１項に記載のバー形態のディスプレイ装置。
【請求項２１】
前記第２の画面は、双安定性状態の場合、電力を消費しないか、又は電力を必要としないことを特徴とする請求項４乃至９の何れか１項に記載のバー形態のディスプレイ装置。
【請求項２２】
前記装置は、オフ状態又は省電力通知モードで、画像を表示することを特徴とする請求項１乃至２１の何れか１項に記載のバー形態のディスプレイ装置。
【請求項２３】
前記装置で実行するアプリケーション又はサービスの一つは、前記第２の画面に、通知を表示可能であることを特徴とする請求項１乃至２２の何れか１項に記載のバー形態のディスプレイ装置。
【請求項２４】
前記装置で実行する何れのアプリケーション又はサービスも、前記第２の画面に、通知を表示可能であることを特徴とする請求項１乃至２３の何れか１項に記載のバー形態のディスプレイ装置。
【請求項２５】
通知が表示される時間は、制限されないことを特徴とする請求項２２乃至２４の何れか１項に記載のバー形態のディスプレイ装置。
【請求項２６】
前記装置で実行するアプリケーション又はサービスの一つは、前記第１の画面に、通知を表示可能であること特徴とする請求項１乃至２５の何れか１項に記載のバー形態のディスプレイ装置。
【請求項２７】
前記装置で実行する何れのアプリケーション又はサービスも、前記第１の画面に、通知を表示可能であることを特徴とする請求項１乃至２６の何れか１項に記載のバー形態のディスプレイ装置。
【請求項２８】
メッセージが前記第１の画面及び前記第２の画面に提供されることを特徴とする請求項１乃至２７の何れか１項に記載のバー形態のディスプレイ装置。
【請求項２９】
前記第２のディスプレイ画面の出力として、インタラクション、コントロール、ユースケース、パーソナライゼーション、ウィジェット、プライバシーのうちの一つ以上が提供されることを特徴とする請求項１乃至２８の何れか１項に記載のバー形態のディスプレイ装置。
【請求項３０】
前記第２のディスプレイ画面の出力として、ソーシャルネットワークの画面が提供されることを特徴とする請求項１乃至２９の何れか１項に記載のバー形態のディスプレイ装置。
【請求項３１】
前記第２のディスプレイへ画面の出力として、ソーシャルアグリゲータの出力又はソーシャルネットワークの出力が提供されることを特徴とする請求項１乃至３０の何れか１項に記載のバー形態のディスプレイ装置。
【請求項３２】
前記ソーシャルアグリゲータの出力又はソーシャルネットワークの出力は、フェイスブック（登録商標）のページであることを特徴とする請求項３０又は３１に記載のバー形態のディスプレイ装置。
【請求項３３】
前記第２のディスプレイ画面の出力として、グーグル（登録商標）の検索ページが提供されることを特徴とする請求項１乃至３２の何れか１項に記載のバー形態のディスプレイ装置。
【請求項３４】
前記第２のディスプレイ画面の出力として、装置の場所が提供されることを特徴とする請求項１乃至３３の何れか１項に記載のバー形態のディスプレイ装置。
【請求項３５】
前記第２のディスプレイ画面の出力として、通知が提供されることを特徴とする請求項１乃至３４の何れか１項に記載のバー形態のディスプレイ装置。
【請求項３６】
前記第２のディスプレイ画面の出力として、オペレータプッシュの出力が提供されることを特徴とする請求項１乃至３５の何れか１項に記載のバー形態のディスプレイ装置。
【請求項３７】
前記第２のディスプレイ画面の出力として、ニュースサービスによって提供されるニュースが提供されることを特徴とする請求項１乃至３６の何れか１項に記載のバー形態のディスプレイ装置。
【請求項３８】
前記第２のディスプレイ画面の出力として、ソーシャルメッセージングサービスによって提供されるソーシャルメッセージが提供されることを特徴とする請求項１乃至３７の何れか１項に記載のバー形態のディスプレイ装置。
【請求項３９】
前記第２のディスプレイ画面の出力として、ソーシャルネットワーキングサービスによって提供されるソーシャルメッセージが提供されることを特徴とする請求項１乃至３８の何れか１項に記載のバー形態のディスプレイ装置。
【請求項４０】
前記第２のディスプレイ画面の出力として、カレンダー情報が提供されることを特徴とする請求項１乃至３９の何れか１項に記載のバー形態のディスプレイ装置。
【請求項４１】
前記第２のディスプレイ画面は、前記装置が省電力通知モードで動作する場合、前記装置の唯一の動作可能なディスプレイ画面となることを特徴とする請求項１乃至４０の何れか１項に記載のバー形態のディスプレイ装置。
【請求項４２】
前記第２のディスプレイ画面は、前記装置が省電力通知モードで動作する場合、一つ以上のカテゴリの更新コンテンツを表示することを特徴とする請求項１乃至４１の何れか１項に記載のバー形態のディスプレイ装置。
【請求項４３】
前記カテゴリは、ニュース、ソーシャルメッセージ、緊急通知、金融ニュース、地震、津波又は天気のうちの一つ以上を含むことを特徴とする請求項４２に記載のバー形態のディスプレイ装置。
【請求項４４】
前記カテゴリは、事前に選択されることを特徴とする請求項４２又は４３に記載のバー形態のディスプレイ装置。
【請求項４５】
前記カテゴリは、ユーザによって事前に選択されることを特徴とする請求項４４に記載のバー形態のディスプレイ装置。
【請求項４６】
前記カテゴリは、ネットワークサービスプロバイダによって事前に選択されることを特徴とする請求項４４に記載のバー形態のディスプレイ装置。
【請求項４７】
前記装置は、スレート型の装置であることを特徴とする請求項１乃至４６の何れか１項に記載のバー形態のディスプレイ装置。
【請求項４８】
前記装置は、バー又はキャンディバーの装置であることを特徴とする請求項１乃至４６の何れか１項に記載のバー形態のディスプレイ装置。
【請求項４９】
前記装置は、スラブ型の形態であることを特徴とする請求項１乃至４６の何れか１項に記載のバー形態のディスプレイ装置。
【請求項５０】
前記第１のディスプレイ画面は、液晶ディスプレイ画面であることを特徴とする請求項１乃至４９の何れか１項に記載のバー形態のディスプレイ装置。
【請求項５１】
前記第１のディスプレイ画面は、アクティブマトリクス型有機発光ダイオードディスプレイ画面であることを特徴とする請求項１乃至４９の何れか１項に記載のバー形態のディスプレイ装置。
【請求項５２】
オン状態において、前記正面は、後方から照明され、画像又は他のコンテンツを表示可能であり、オン状態において、前記背面の双安定性ディスプレイは、画像又は他のコンテンツを表示可能であることを特徴とする請求項４乃至９の何れか１項に記載のバー形態のディスプレイ装置。
【請求項５３】
前記装置は、タッチスクリーンを備えることを特徴とすることを特徴とする請求項１乃至５２の何れか１項に記載のバー形態のディスプレイ装置。
【請求項５４】
前記第１のディスプレイ画面がタッチスクリーンであることを特徴とする請求項５３に記載のバー形態のディスプレイ装置。
【請求項５５】
前記第２のディスプレイ画面は、双安定性ディスプレイのタッチスクリーンであることを特徴とする請求項４乃至９の何れか１項に記載のバー形態のディスプレイ装置。
【請求項５６】
前記第２のディスプレイ画面は、双安定性ディスプレイ画面であり、前記装置は、第２の双安定性画面を含むことを特徴とする請求項４乃至９の何れか１項に記載のバー形態のディスプレイ装置。
【請求項５７】
前記第２のディスプレイ画面は、双安定性ディスプレイ画面であり、前記双安定性画面は、それが配置されている前記装置の主面の面積の７０％以上を占めることを特徴とする請求項４乃至９の何れか１項に記載のバー形態のディスプレイ装置。
【請求項５８】
前記双安定性画面は、それが配置されている前記装置の主面の面積の９０％以上を占めることを特徴とする請求項５７に記載のバー形態のディスプレイ装置。
【請求項５９】
前記双安定性画面は、それが配置されている前記装置の主面の面積の９５％以上を占めることを特徴とする請求項５７に記載のバー形態のディスプレイ装置。
【請求項６０】
前記第１の画面は、それが配置されている前記装置の主面の面積の７０％以上を占めることを特徴とする請求項５７乃至５９の何れか１項に記載のバー形態のディスプレイ装置。
【請求項６１】
前記第１の画面は、それが配置されている前記装置の主面の面積の９０％以上を占めることを特徴とする請求項５７乃至５９の何れか１項に記載のバー形態のディスプレイ装置。
【請求項６２】
前記第１の画面は、それが配置されている前記装置の主面の面積の９５％以上を占めることを特徴とする請求項５７乃至５９の何れか１項に記載のバー形態のディスプレイ装置。
【請求項６３】
前記装置は、持ち運び可能であることを特徴とする請求項１乃至６２の何れか１項に記載のバー形態のディスプレイ装置。
【請求項６４】
前記装置は、携帯電話、ポータブルデジタルアシスタント、ラップトップ、デジタルオーディオプレーヤー（例えば、ｉＰｏｄ（登録商標））、又はタブレットコンピュータ（例えば、ｉＰａｄ（登録商標））であることを特徴とする請求項１乃至６３の何れか１項に記載のバー形態のディスプレイ装置。
【請求項６５】
前記装置は、仮想キーボードを含むことを特徴とする請求項１乃至６４の何れか１項に記載のバー形態のディスプレイ装置。
【請求項６６】
前記装置は、へこんだ正面と張り出した背面とを含むことを特徴とする請求項１乃至６５の何れか１項に記載のバー形態のディスプレイ装置。
【請求項６７】
前記正面と前記背面の湾曲の大きさは、同一又は類似であることを特徴とする請求項６６に記載のバー形態のディスプレイ装置。
【請求項６８】
前記正面と前記背面の湾曲は、円柱状であることを特徴とする請求項６６又は６７に記載のバー形態のディスプレイ装置。
【請求項６９】
前記正面と前記背面の湾曲は、球面であることを特徴とする請求項６６又は６７に記載のバー形態のディスプレイ装置。
【請求項７０】
前記正面と前記背面の湾曲は、非球面であることを特徴とする請求項６６乃至６７の何れか１項に記載のバー形態のディスプレイ装置。
【請求項７１】
前記装置がその正面を下にした載置位置にあると機構的に安定することを特徴とする請求項６６乃至７０の何れか１項に記載のバー形態のディスプレイ装置。
【請求項７２】
前記装置のへこんだ正面の湾曲は、ユーザが手首を回した際に指の経路と適合することを特徴とする請求項６６乃至７１の何れか１項に記載のバー形態のディスプレイ装置。
【請求項７３】
前記バー形態のディスプレイ装置が張り出した背面を下にして配置された場合、前記バー形態のディスプレイ装置は、回ることを特徴とする請求項６６乃至７２の何れか１項に記載のバー形態のディスプレイ装置。
【請求項７４】
ユーザの被服の足のポケットにおいて、前記バー形態のディスプレイ装置がそのへこんだ面を足側に向けて配置された場合、張り出した面を足側に向ける場合よりも、高いアンテナ受信性が得られることを特徴とする請求項６６乃至７３の何れか１項に記載のバー形態のディスプレイ装置。
【請求項７５】
湾曲した正面が、分布振動モードのラウドスピーカー（ＤＭＬ）であることを特徴とする請求項６６乃至７４の何れか１項に記載のバー形態のディスプレイ装置。
【請求項７６】
湾曲した背面が、分布振動モードのラウドスピーカー（ＤＭＬ）であることを特徴とする請求項６６乃至７５の何れか１項に記載のバー形態のディスプレイ装置。
【請求項７７】
湾曲した形状はガラスを積層して製造されたものであることを特徴とする請求項６６乃至７６の何れか１項に記載のバー形態のディスプレイ装置。
【発明の詳細な説明】
【技術分野】
【０００１】
本発明の技術分野は、バー形態（bar form factor）のディスプレイ装置、特に、複数のディスプレイ画面を備えたバー形態のディスプレイ装置を含む。バー形態とは、スラブ型、スレート型、ブロック型、バー型、及びキャンディバー型を含むものである。
【背景技術】
【０００２】
バー形態のディスプレイ装置として、例えば、ｉＰｈｏｎｅ（商標）、ｉＰａｄ（商標）などのスレート型の装置が知られている。しかしながら、これらの装置は、ただ一つのディスプレイ画面を備えるものである。バー形態の装置はスレート型であることがある。
【０００３】
［関連技術の説明］
米国特許出願公開第２００８／００２１１５Ａ１号（特許文献１）では、先行文献の図３に示すとおり、外部ディスプレイ及び内部ディスプレイを有する携帯電子機器（例えば、クラムシェル型の携帯電話）に提供される積層ディスプレイ（display stack-up）３００が開示されている。積層ディスプレイは、バックライトユニット１１４と、光双安定性（bi-stable）を有する外部ディスプレイ装置１１０とを備える。外部ディスプレイ装置１１０は、バックライトユニット１１４と接して配置され、光学的に結合されている。積層ディスプレイは、さらに、内部ディスプレイ装置１０６を備え、かかる内部ディスプレイ装置１０６は、外部ディスプレイ装置１１０と接して配置され、光学的に結合されている。
【０００４】
米国特許出願公開第２００８／００２１１５Ａ１号には、ここに開示された装置が、一方のディスプレイ（「外部ディスプレイ」）をユーザに常時視認させ、他方のディスプレイ（「内部ディスプレイ」）をユーザに視認させ又は視認させないようにするヒンジ部を有するので、「内部ディスプレイ」及び「外部ディスプレイ」の用語が用いられている。先行文献の図４は、米国特許出願公開第２００８／００２１１５Ａ１号に開示されている。米国特許出願公開第２００８／００２１１５Ａ１号では、携帯電子機器１００が第１の筐体部材１０２と第２の筺体部材１０４とを含むことが開示されている。第１の筐体部材１０２及び第２の筐体部材１０４は、金属、プラスチック、ガラス及び／又はそれらの組み合わせの材料で構成されてもよい。第１の筺体部材１０２と第２の筺体部材１０４とは、ヒンジで相互に接続され、開位置と閉位置に設定することができる。言い換えれば、第１の筺体部材１０２と第２の筺体部材１０４とは、開位置に設定される際、両者の間の角度が約１８０°以下となり、閉位置に設定される際、最小角度がほぼ０°かそれよりやや大きくなるように、ヒンジで相互に接続される。第１の筺体部材１０２は、さらに、外部ディスプレイ開口部１０１と内部ディスプレイ開口部１０３とを備え、それらを通じて外部ディスプレイ装置１１０及び内部ディスプレイ装置１０６が各々図示されている。ディスプレイ自体は、第１の筺体部材１０２によって囲まれる３つの主な装置を備える。先行文献の図４の断面図において、３つの装置は、「積層」構造中に示され、「積層」構造は、内部ディスプレイ装置１０６、外部ディスプレイ装置１１０及びバックライト装置１０８を有するものである。
【先行技術文献】
【特許文献】
【０００５】
【特許文献１】米国特許出願公開第２００８／００２１１５Ａ１号明細書
【発明の概要】
【発明が解決しようとする課題】
【０００６】
米国特許出願公開第２００８／００２１１５Ａ１号から引用された先行文献の図５には、閉状態で開示された折り畳み式の携帯電話が示される。閉状態では、例えば、携帯電話が女性のハンドバッグにしまわれているときに、鍵、化粧道具入れ及び財布表面の金属部などの様々な物との接触で生じる擦過から内部ディスプレイの表面が保護される。閉状態は、先行文献の図４の開状態よりもコンパクトであり、コンパクトであることは、例えば、女性のハンドバックで装置を持ち運ぶ際、その横方向の最大長が開状態のときに比べて小さくなるので、便利である。インタフェース部は、折り畳み式の電話の内側にあり、装置は、装置が閉じた場合よりも装置が開いた場合の方がより大きな表面積を提供する。キーパッドのキーなどのインタフェース部及び内部ディスプレイは、装置が閉じられた場合に保護され、そして、閉じられた場合に長さ又は幅が小さくなり、装置は持ち運びが容易となる。折り畳み式の電話が閉状態である場合、かかる閉状態では第１のディスプレイが視認できないので、第２のディスプレイを表示の目的のために使用することができる。
【０００７】
先行文献の図４及び図５の装置は、ヒンジによって接続される二つの部分から構成されるため、バー形態の装置ではない。
【課題を解決するための手段】
【０００８】
本発明の一態様によれば、主正面及び主背面を備えるバー形態のディスプレイ装置が提供され、主正面には第１のディスプレイ画面が配置され、背主面には第１のディスプレイ画面とは異なる第２のディスプレイ画面が配置される。
【０００９】
バー形態のディスプレイ装置は、第２のディスプレイ画面がエレクトロウェッティング技術を用いるものであってもよい。
【００１０】
バー形態のディスプレイ装置は、第２のディスプレイ画面がグレースケールのパネルであるものであってもよい。
【００１１】
バー形態のディスプレイ装置は、第２のディスプレイ画面に、双安定性ディスプレイ画面であるものであってもよい。
【００１２】
バー形態のディスプレイ装置は、装置外観が、双安定性ディスプレイ画面に表示される内容を変更することによって、変更可能であるものであってもよい。
【００１３】
バー形態のディスプレイ装置は、双安定性ディスプレイ画面が、双安定性アクティブマトリクス型で高解像度のディスプレイ画面であるものであってもよい。
【００１４】
バー形態のディスプレイ装置は、双安定性ディスプレイ画面が、電子インクの双安定性ディスプレイ画面であるものであってもよい。
【００１５】
バー形態のディスプレイ装置は、第２のディスプレイ画面は、ガラスの下に設けられた電子ペーパーディスプレイであるものであってもよい。
【００１６】
バー形態のディスプレイ装置は、第２のディスプレイ画面に、干渉変調技術を用いるものであってもよい。
【００１７】
バー形態のディスプレイ装置は、装置外観が、コンテキスト関連性を有するものであってもよい。
【００１８】
バー形態のディスプレイ装置は、コンテキスト関連性を有する装置外観が、場所に基づく広告を含むものであってもよい。
【００１９】
バー形態のディスプレイ装置は、コンテキスト関連性を有する装置外観が、場所に基づく検索結果を含むものであってもよい。
【００２０】
バー形態のディスプレイ装置は、装置外観が、異なる電話ケースの外観が与えられるように変更可能であるものであってもよい。
【００２１】
バー形態のディスプレイ装置は、装置のスキンは、変更可能であるものであってもよい。
【００２２】
バー形態のディスプレイ装置は、装置のスキンが、壁紙、写真、動画、又はユーザがカスタマイズしたコンテンツのうちの一つ以上であるものであってもよい。
【００２３】
バー形態のディスプレイ装置は、背面が、装置ケースの一部のように見えるものであってもよい。
【００２４】
バー形態のディスプレイ装置は、第２のディスプレイ画面が、低消費電力であるのであってもよい。
【００２５】
バー形態のディスプレイ装置は、第１のディスプレイ画面と第２のディスプレイ画面が、類似の解像度を有するものであってもよい。
【００２６】
バー形態のディスプレイ装置は、第２のディスプレイ画面が、約４インチの画面サイズに対して、３００ｍＡｈの電気量を使用して、少なくとも約１０００回の全画面の更新を提供するものであってもよい。
【００２７】
バー形態のディスプレイ装置は、第２のディスプレイ画面が、毎分２回程度の頻度で更新を実施可能であるものであってもよい。
【００２８】
バー形態のディスプレイ装置は、第２の画面が、双安定性状態の場合、電力を消費しないか、又は電力を必要としないものであってもよい。
【００２９】
バー形態のディスプレイ装置は、オフ状態又は省電力通知モードで、画像を表示するものであってもよい。
【００３０】
バー形態のディスプレイ装置は、装置で実行するアプリケーション又はサービスの一つが、第２の画面に、通知を表示可能であるものであってもよい。
【００３１】
バー形態のディスプレイ装置は、装置で実行する何れのアプリケーション又はサービスも、第２の画面に、通知を表示可能であるものであってもよい。
【００３２】
バー形態のディスプレイ装置は、通知が表示される時間が制限されないものであってもよい。
【００３３】
バー形態のディスプレイ装置は、装置で実行するアプリケーション又はサービスの一つが、第１の画面に、通知を表示可能であるものであってもよい。
【００３４】
バー形態のディスプレイ装置は、装置で実行する何れのアプリケーション又はサービスも、第１の画面に、通知を表示可能であるものであってもよい。
【００３５】
バー形態のディスプレイ装置は、メッセージが第１の画面及び第２の画面に提供されるものであってもよい。
【００３６】
バー形態のディスプレイ装置は、第２のディスプレイ画面の出力として、インタラクション、コントロール、ユースケース、パーソナライゼーション、ウィジェット、プライバシーのうちの一つ以上が提供されるものであってもよい。
【００３７】
バー形態のディスプレイ装置は、第２のディスプレイ画面の出力として、ソーシャルネットワークの画面が提供されるものであってもよい。
【００３８】
バー形態のディスプレイ装置は、第２のディスプレイへ画面の出力として、ソーシャルアグリゲータの出力又はソーシャルネットワークの出力が提供されるものであってもよい。
【００３９】
バー形態のディスプレイ装置は、ソーシャルアグリゲータの出力又はソーシャルネットワークの出力が、フェイスブック（登録商標）のページであるものであってもよい。
【００４０】
バー形態のディスプレイ装置は、第２のディスプレイ画面の出力として、グーグル（登録商標）の検索ページが提供されるものであってもよい。
【００４１】
バー形態のディスプレイ装置は、第２のディスプレイ画面の出力として、装置の場所が提供されるものであってもよい。
【００４２】
バー形態のディスプレイ装置は、第２のディスプレイ画面の出力として、通知が提供されるものであってもよい。
【００４３】
バー形態のディスプレイ装置は、第２のディスプレイ画面の出力として、オペレータプッシュの出力が提供されるものであってもよい。
【００４４】
バー形態のディスプレイ装置は、第２のディスプレイ画面の出力として、ニュースサービスによって提供されるニュースが提供されるものであってもよい。
【００４５】
バー形態のディスプレイ装置は、第２のディスプレイ画面の出力として、ソーシャルメッセージングサービスによって提供されるソーシャルメッセージが提供されるものであってもよい。
【００４６】
バー形態のディスプレイ装置は、第２のディスプレイ画面の出力として、ソーシャルネットワーキングサービスによって提供されるソーシャルメッセージが提供されるものであってもよい。
【００４７】
バー形態のディスプレイ装置は、第２のディスプレイ画面の出力として、カレンダー情報が提供されるものであってもよい。
【００４８】
バー形態のディスプレイ装置は、第２のディスプレイ画面が、装置が省電力通知モードで動作する場合、装置の唯一の動作可能なディスプレイ画面となるものであってもよい。
【００４９】
バー形態のディスプレイ装置は、第２のディスプレイ画面が、装置が省電力通知モードで動作する場合、一つ以上のカテゴリの更新コンテンツを表示するものであってもよい。
【００５０】
バー形態のディスプレイ装置は、カテゴリが、ニュース、ソーシャルメッセージ、緊急通知、金融ニュース、地震、津波又は天気のうちの一つ以上を含むものであってもよい。
【００５１】
バー形態のディスプレイ装置は、カテゴリが、事前に選択されるものであってもよい。
【００５２】
バー形態のディスプレイ装置は、カテゴリが、ユーザによって事前に選択されるものであってもよい。
【００５３】
バー形態のディスプレイ装置は、カテゴリが、ネットワークサービスプロバイダによって事前に選択されるものであってもよい。
【００５４】
バー形態のディスプレイ装置は、スレート型の装置であってもよい。
【００５５】
バー形態のディスプレイ装置は、バー又はキャンディバーの装置であってもよい。
【００５６】
バー形態のディスプレイ装置は、スラブ型の形態であってもよい。
【００５７】
バー形態のディスプレイ装置は、第１のディスプレイ画面が、液晶ディスプレイ画面であるものであってもよい。
【００５８】
バー形態のディスプレイ装置は、第１のディスプレイ画面が、アクティブマトリクス型有機発光ダイオードディスプレイ画面であるものであってもよい。
【００５９】
バー形態のディスプレイ装置は、オン状態において、正面が、後方から照明され、画像又は他のコンテンツを表示可能であり、オン状態において、背面の双安定性ディスプレイが、画像又は他のコンテンツを表示可能であるであるものであってもよい。
【００６０】
バー形態のディスプレイ装置は、タッチスクリーンを備えるものであってもよい。
【００６１】
バー形態のディスプレイ装置は、第１のディスプレイ画面がタッチスクリーンであるものであってもよい。
【００６２】
バー形態のディスプレイ装置は、第２のディスプレイ画面が、双安定性ディスプレイのタッチスクリーンであるものであってもよい。
【００６３】
バー形態のディスプレイ装置は、第２のディスプレイ画面が、双安定性ディスプレイ画面であり、装置が、第２の双安定性画面を含むものであってもよい。
【００６４】
バー形態のディスプレイ装置は、第２のディスプレイ画面が、双安定性ディスプレイ画面であり、双安定性画面が、それが配置されている装置の主面の面積の７０％以上を占めるものであってもよい。
【００６５】
バー形態のディスプレイ装置は、双安定性画面が、それが配置されている装置の主面の面積の９０％以上を占めるものであってもよい。
【００６６】
バー形態のディスプレイ装置は、双安定性画面が、それが配置されている装置の主面の面積の９５％以上を占めるものであってもよい。
【００６７】
バー形態のディスプレイ装置は、第１の画面が、それが配置されている装置の主面の面積の７０％以上を占めるものであってもよい。
【００６８】
バー形態のディスプレイ装置は、第１の画面が、それが配置されている装置の主面の面積の９０％以上を占めるものであってもよい。
【００６９】
バー形態のディスプレイ装置は、第１の画面が、それが配置されている装置の主面の面積の９５％以上を占めるものであってもよい。
【００７０】
バー形態のディスプレイ装置は、持ち運び可能であってもよい。
【００７１】
バー形態のディスプレイ装置は、携帯電話、ポータブルデジタルアシスタント、ラップトップ、デジタルオーディオプレーヤー（例えば、ｉＰｏｄ（登録商標））、又はタブレットコンピュータ（例えば、ｉＰａｄ（登録商標））であってもよい。
【００７２】
バー形態のディスプレイ装置は、仮想キーボードを含むものであってもよい。
【００７３】
バー形態のディスプレイ装置は、へこんだ正面と張り出した背面とを含むものであってもよい。
【００７４】
バー形態のディスプレイ装置は、正面と背面の湾曲の大きさが、同一又は類似であってもよい。
【００７５】
バー形態のディスプレイ装置は、正面と背面の湾曲が、円柱状であってもよい。
【００７６】
バー形態のディスプレイ装置は、正面と背面の湾曲が、球面であってもよい。
【００７７】
バー形態のディスプレイ装置は、正面と背面の湾曲が、非球面であってもよい。
【００７８】
バー形態のディスプレイ装置は、その正面を下にした載置位置にあると、機構的に安定するものであってもよい。
【００７９】
バー形態のディスプレイ装置は、へこんだ正面の湾曲が、ユーザが手首を回した際に指の経路と適合するものであってもよい。
【００８０】
バー形態のディスプレイ装置について、バー形態のディスプレイ装置が張り出した背面を下にして配置された場合、バー形態のディスプレイ装置は、回るものであってもよい。
【００８１】
バー形態のディスプレイ装置は、ユーザの被服の足のポケットにおいて、バー形態のディスプレイ装置がそのへこんだ面を足側に向けて配置された場合、張り出した面を足側に向ける場合よりも、高いアンテナ受信性が得られるものであってもよい。
【００８２】
バー形態のディスプレイ装置は、湾曲した正面が、分布振動モードのラウドスピーカー（ＤＭＬ）であってもよい。
【００８３】
バー形態のディスプレイ装置は、湾曲した背面が、分布振動モードのラウドスピーカー（ＤＭＬ）であってもよい。
【００８４】
バー形態のディスプレイ装置は、湾曲した形状がガラスを積層して製造されたものであってもよい。
【図面の簡単な説明】
【００８５】
【図１】本発明の装置の実施例の正面及び背面を示す。装置はオフ状態で示されている。
【図２】本発明の装置の実施例の正面及び背面を示す。装置はオン状態で示されている。
【図３】先行文献である米国特許出願公開第２００８／００２１１５Ａ１号公報からの引用である。同図において外部ディスプレイ装置及び内部ディスプレイ装置を有する携帯電子機器１００（例えば、クラムシェル型の携帯電話）のために提供される積層ディスプレイ３００が開示される。
【図４】先行文献である米国特許出願公開第２００８／００２１１５Ａ１号公報からの引用である。同図において第１の筺体部材１０２及び第２の筺体部材１０４を含む携帯電子機器１００が開示される。第１の筺体部材１０２及び第２の筺体部材１０４は、金属、プラスチック、グラス等及び／又はそれらの組合せの材料から構成される。第１の筺体部材１０２及び第２の筺体部材１０４は、ヒンジで相互に接続され、開位置及び閉位置が設定される。
【図５】先行文献である米国特許出願公開第２００８／００２１１５Ａ１号公報からの引用である。同図は、閉状態で開示された折り畳み式の携帯電話を示す。
【図６】本発明の装置の実施例の側面図を示す。装置は、図２の装置に対応するものである。
【図７】本発明の装置の実施例の正面及び背面を示す。装置は、オン状態で示される。装置は、図２の装置に対応するものである。
【発明を実施するための形態】
【００８６】
本発明の一実施例では、双安定性（bi-stable）ディスプレイ装置を有する２画面（dual screen）のバー形態の電話を提供する。２画面のバー形態の電話の利点は、どちらを上にして装置をテーブルに置いたとしても、一方の画面は常時視認できることである。両画面で着信メッセージを表示することによって、装置がテーブルに置かれている場合でも着信メッセージをいつでも視認できるのである。第１のディスプレイ画面には、エレクトロウェッティング（electrowetting）技術を使用してもよい。第２のディスプレイ画面には、例えば、リクアビスタ社（Liquavista）のエレクトロウェッティング技術を使用してもよい。
【００８７】
装置外観は、例えば全地球測位システム（GPS）受信機を用いて決定された位置などに関する、又は天気に関する、又は温度に関する、又は日時に関するコンテキスト関連性（context-related）を有してもよい。（例えば、位置に関する）コンテキスト関連性を有する装置外観は、位置に基づく広告を含んでもよい。（例えば、位置に関する）コンテキスト関連性を有する装置外観は、位置に基づく検索結果を含んでもよい。
【００８８】
モバイルコンピューティングでは、通知とカスタマイズが重要なタスクである。通知については、音、振動、又はＬＣＤ／ＡＭＯＬＥＤ（液晶ディスプレイ／アクティブマトリクス型有機発光ダイオード）のディスプレイを使用することが知られている。これらすべての方法は、ごく短時間の通知を提供するものであり、消費電力が大きくなってしまうことから、常時オンモードとして作動させることができない。通知のためにセグメント化された双安定性ディスプレイを用いる例があるが、それらでは通知メッセージ及び／又はオプションについて適度な柔軟性を得ることができない。
【００８９】
装置のカスタマイズとして種々の方法がある。つまり、装置の見た目を変更するため、主画面のユーザーインターフェイス（UI）用の写真及びテーマ、音声、及び電話ケースのような異なる付属品が使用されうる。例えば、異なる電話ケースの外観を与えるように、双安定性画面に表示される内容を変更することによって、装置の見た目を変更することができる。例えば、電話のスキン（phone skin）を変更することができる。電話のスキンは、壁紙、写真、動画、ユーザがカスタマイズしたコンテンツのうちの一つ以上であってもよい。
【００９０】
本発明の一実施例では、装置の背面パネルに、双安定性アクティブマトリックス型で高解像度のディスプレイが設けられる。この改善により、先行文献の実施例と比べて以下の利点が得られる。
・電話のカスタマイズ−ユーザは、他の電話と自己の電話を区別できるように、任意のパターン、画像又はアプリケーションインターフェイスを表示できる。
・通知−任意のアプリケーション又はサービスについて、背面画面に通知を表示することができる。双安定性ディスプレイを使用するので、通知時間が制限されない。
・通知−任意のアプリケーション又はサービスについて、正面画面に通知を表示することができる。メッセージなどの通知は正面画面及び背面画面に提供されてもよい。
・電話自体がオフにされた場合でも情報は画面に残る。これは製造に際しても重要なことである。つまり、製造者は、すべての必要な情報、例えば、シリアル番号、証明ロゴ、製造国などを、双安定性画面に直接掲載することができる。
【００９１】
図１に本発明の一実施例を示す。図１は、本発明の装置の実施例における正面と背面を示す。装置はオフ状態で示されている。オフ状態では、正面は、照明されず、黒色部で示されている。しかしながら、オフ状態でも、背面の双安定性ディスプレイは、コンテンツを表示し続け、かかるコンテンツは周囲照明などの外部照明により視認できる。図１の例では、正面はＡＭＯＬＥＤディスプレイを有し、背面は電子インクの双方向性ディスプレイを有する。
【００９２】
双安定性ディスプレイには、例えばクアルコム社ミラゾール（Mirasol）の干渉変調技術を使用してもよい。
【００９３】
図２に本発明の一実施例を示す。図２は、本発明の装置の実施例における正面と背面を示す。装置はオン状態で示されている。オン状態では、正面が照明され、正面は画像又は他のコンテンツを表示することができる。オン状態では、背面の双安定性ディスプレイも画像又は他のコンテンツを表示することができる。図２の例では、正面は、ＡＭＯＬＥＤディスプレイを有し、背面は電子インクの双方向性ディスプレイを有する。図６には、図２の本発明の実施例の側面図を示す。
【００９４】
図７に本発明の一実施例を示す。図７は、本発明の装置の実施例における正面と背面を示す。装置はオン状態で示されている。オン状態では、正面が照明され、正面は画像又は他のコンテンツを表示することができる。オン状態では、背面の双安定性ディスプレイも画像又は他のコンテンツを表示することができる。図７の実施例では、正面はＡＭＯＬＥＤディスプレイを有し、背面は電子インクの双方向性ディスプレイを有する。
【００９５】
正面ディスプレイの例：４インチＷＶＧＡ（８００×４８０又は８５４×４８０）
技術：ＡＭＯＬＥＤ又はｓＩＰＳ／ＦＦＳ方式
日本写真印刷社（Nissha）製の容量性タッチスクリーン
ガラス：ゴリラガラス（コーニング社製）
【００９６】
背面画面の例：背面側のガラスの下に設けられる電子ペーパーディスプレイ装置（イーインク社製）
【００９７】
背面の特徴として以下を含む。
・イーインク社製の背面画面
・高精細なグレースケールパネル
・ケースの一部として知覚される
・低消費電力
【００９８】
背面画面の特徴として以下を含む。
１  画像について
・解像度：７００〜９００×４８０（可能性のある範囲：正面ディスプレイに類似）
・色：１６グレースケール（イーインク社製）、又は６５Ｋ（ＬＧ社）
・コントラスト：１０対１〜２０対１、反射率：４０％以上
・リフレッシュレート：１５０ミリ秒〜４００ミリ秒
・１ピクセルからどんな領域でもリフレッシュする機能
・カラースキームはケースの色に従う
２  消費電力について
・３００ｍＡｈの電気量を使用して約１０００回の全画面の更新
・消費電力を最小限に抑えるため、更新頻度は毎分２回程度まで最小化
・双安定性状態では電力を消費しない又は必要としない
【００９９】
背面画面の出力として以下を提供する。
・インタラクション（Interactions）、
・コントロール（Control）、
・ユースケース（Use cases）、
・パーソナライゼーション（Personalization）、
・ウィジェット（Widgets）、
・プライバシー（Privacy）
【０１００】
インタラクションの例は、ブログサイトからのテキストメッセージである。コントロールの例は、背面画面の更新頻度を変更することである（例えば、1分毎に１回から５分毎に１回）。ユースケースの例は、緊急サービスの従事者による大規模な緊急通報の受信である。パーソナライゼーションの例は、背面画面において好みのランドマークの写真を配置することである。プライバシーの例は、背面画面に表示される何れかの受信した着信メッセージから会社名又は個人名を削除することである。
【０１０１】
バー形態のディスプレイ装置は、背面ディスプレイ画面の出力がソーシャルネットワークの画面（social network screen）を提供するものであってもよい。
【０１０２】
事前にインストールされたウィジェットは、時計、ソーシャルアグリゲータ（Social aggregator）、通信ログ、「お気に入り」バケット、ニュース、天気、ヨタ社接続（Yota Connection）、バッテリー、お気に入り連絡先、緯度経度、及びプレーヤーを含む。
【０１０３】
背面画面は以下を提供してもよい。
・コンテキスト関連性のテーマ（天気、場所、環境）
・ウィジェット、通知
・パーソナライゼーション
・ポストカード
・オペレータプッシュ（Operator Push）（祝辞（Congratulations）、カスタマーインフォメーション）
【０１０４】
装置の背面ディスプレイは、ニュースサービスによって提供されるニュースを表示してもよい。装置の背面ディスプレイは、ソーシャルメッセージングサービス（social messaging service）によって提供されるソーシャルメッセージ（social messages）を表示してもよい。装置の背面ディスプレイは、ソーシャルアグリゲータの出力又はソーシャルネットワークの出力を知らせる出力を表示してもよい。ソーシャルアグリゲータの出力又はソーシャルネットワークの出力は、フェイスブック（Facebook）（登録商標）のページであってもよい。装置の背面ディスプレイは、グーグル（Google）（登録商標）の検索ページを表示してもよい。装置の背面ディスプレイは、携帯電話の信号強度の指標を表示してもよい。装置の背面ディスプレイは、バッテリーの充電状態の指標を表示してもよい。装置の背面ディスプレイは、カレンダー情報を表示してもよい。
【０１０５】
装置の背面ディスプレイは、装置が省電力通知モードで動作する場合、装置の唯一の動作可能なディスプレイとしてもよい。装置が省電力通知モードで動作する場合、装置の背面ディスプレイは、ニュースサービスによって提供されたニュース記事の着信に応答して更新されてもよい。装置が省電力通知モードで動作する場合、装置の背面ディスプレイは、ソーシャルメッセージングサービスによって提供されたソーシャルメッセージの着信に応答して更新されてもよい。装置は、装置が省電力通知モードで動作する場合、装置の背面ディスプレイが、例えば、ニュース、ソーシャルメッセージ、緊急通知、金融ニュース、地震、津波又は天気のうちの一つ以上のカテゴリについての更新コンテンツを表示するようにプログラムされてもよい。かかるカテゴリは、ユーザ又はネットワークサービスのプロバイダなどによって、事前に選択されてもよい。
【０１０６】
［装置の別の態様］
装置は、持ち運び可能であってもよい。装置は、携帯電話、ポータブルデジタルアシスタント（portable digital assistant）、ラップトップ、デジタルオーディオプレーヤー又はタブレットコンピュータであってもよい。知られているデジタルオーディオプレーヤーには、ｉＰｏｄ（登録商標）とＭＰ３プレーヤーが含まれる。知られているタブレットコンピュータには、ｉＰａｄ（登録商標）を含む。装置は、仮想キーボードを含んでもよい。装置は、タッチスクリーンを有していてもよい。装置は、それぞれがタッチスクリーンである二つの画面を有してもよい。双安定性画面は、タッチスクリーンであってもよい。双安定性画面でない画面がタッチスクリーンであってもよい。
装置は、第２の双安定性画面を含んでもよい。装置は、タッチスクリーンである第２の双安定性画面を含んでもよい。装置は、タッチスクリーンではない第２の双安定性画面を含んでもよい。
【０１０７】
双安定性画面は、それが配置されている装置の主面の面積の５０％以上を占めてもよい。双安定性画面は、それが配置されている装置の主面の面積の６０％以上を占めてもよい。双安定性画面は、それが配置されている装置の主面の面積の７０％以上を占めてもよい。双安定性画面は、それが配置されている装置の主面の面積の８０％以上を占めてもよい。双安定性画面は、それが配置されている装置の主面の面積の９０％以上を占めてもよい。双安定性画面は、それが配置されている装置の主面の面積の９５％以上を占めてもよい。
【０１０８】
双安定性画面以外の画面は、それが配置されている装置の主面の面積の５０％以上を占めてもよい。双安定性画面以外の画面は、それが配置されている装置の主面の面積の６０％以上を占めてもよい。双安定性画面以外の画面は、それが配置されている装置の主面の面積の７０％以上を占めてもよい。双安定性画面以外の画面は、それが配置されている装置の主面の面積の８０％以上を占めてもよい。双安定性画面以外の画面は、それが配置されている装置の主面の面積の９０％以上を占めてもよい。双安定性画面以外の画面は、それが配置されている装置の主面の面積の９５％以上を占めてもよい。
【０１０９】
第２の双安定性画面は、それが配置されている装置の主面の面積の５０％以上を占めてもよい。第２の双安定性画面は、それが配置されている装置の主面の面積の６０％以上を占めてもよい。第２の双安定性画面は、それを配置している装置の主面の面積の７０％以上を占めてもよい。第２の双安定性画面は、それが配置されている装置の主面の面積の８０％以上を占めてもよい。第２の双安定性画面は、それが配置されている装置の主面の面積の９０％以上を占めてもよい。第２の双安定性画面は、それが配置されている装置の主面の面積の９５％以上を占めてもよい。
【０１１０】
装置は、二つの主面の間に設けられた一つのバックライトモジュールを備えてもよい。バックライトモジュールは、一つの主面の一つのディスプレイを照明してもよい。バックライトモジュールは、他方のディスプレイとは対向するように装置の異なる主面に各々設けられた二つのディスプレイを照明してもよい。
【０１１１】
装置は、二つのバックライトモジュールを備えてもよく、各バックライトモジュールは、装置の主面に設けられた一つのディスプレイを照明してもよい。各バックライトモジュールは、装置の各主面の各ディスプレイを照明してもよい。二つのバックライトモジュールは、装置の二つのディスプレイの間に設けられてもよく、各ディスプレイは、他方のディスプレイと対向するように装置の異なる主面に設けられる。
【０１１２】
装置は、平坦な（すなわち湾曲していない）主正面及び主背面を有してもよい。装置は、一方の主面が平坦（すなわち湾曲していない）であるのに対し、他方の主面が湾曲するものであってもよい。
【０１１３】
［湾曲したバー形態のディスプレイ装置（例えば、電話）］
バー形態のディスプレイ装置（例えば、電話）は、雑然とした空間で迅速に製品を識別するために重要なユニーク（unique）で有機的な形状（organic shape）を有してもよい。図６及び図７に実施例を示す。バー形態のディスプレイ装置は、へこんだ正面と張り出した背面を有してもよい。各面の湾曲の大きさは、同一でもよいし、類似でもよい。へこんだ正面は、ユーザが手首を回しても、指の経路（path）に適合しうる。したがって、使用するのに無理がないのである。また、分布振動モードのラウドスピーカー（ＤＭＬ）としても湾曲した表面を有することが好ましい。仮に、スピーカー振動子を有する正面ディスプレイが平坦面の場合、その平坦面を卓上に向けて配置すると不快な音が生じてしまうからである。湾曲した表面であれば、このようなことが起きるのを防ぐことができる。正面及び背面の湾曲は、円柱状であることが好ましいが、球面又は非球面とすることもできる。張り出した背面は、双安定性ディスプレイを有することができる。通常の載置の位置は正面が下側となるので、バー形態のディスプレイ装置が載置の位置にある場合、通常は、双安定性ディスプレイを有する背面画面が表示するものとなる。この載置の位置は、構造的に安定するものでもある。バー形態のディスプレイ装置が背面を下にして置かれた場合（すなわち、張り出した面が下）、バー形態のディスプレイ装置は回ってしまい、不安定である。そのため、ユーザは、バー形態のディスプレイ装置の正面（すなわち、へこんだ面）を下にして、双安定性画面が見えるように置くだろう。
【０１１４】
バー形態のディスプレイ装置がポケット内にある場合、正面（へこんだ面）を内向きにすることができ、脚の湾曲によく沿うものとなる。これは、アンテナ受信のために、（正面が上向きになるのに対して）より好ましい構成である。
【０１１５】
湾曲した形状は、製造時にガラスをラミネートさせて形成してもよい。
【０１１６】
［バー形態のディスプレイ装置（例えば、電話）のＤＭＬスピーカー］
大きく、目立ったスピーカーの音孔を有する大きなスピーカーを設けない限り、良い品質のオーディオ性能を得るのは難しい。一例として、バー形態のディスプレイ装置（例えば電話）の画面を振動させるために、ＮＸＴ  ｐｌｃ社の分布振動モードのラウドスピーカー（ＤＭＬ）の技術を使用する。これは画面表面全体がスピーカーとして作用する。スピーカーの音孔は完全になくすことができる。振動スクリーンを作製するために、ガラスの下に設けられる二つの小さなドライバ／振動子を用いることができる。以前は、ＤＭＬは、携帯電話又はバー形態のディスプレイ装置において画面表面を駆動するようには使用されていなかった。ＤＭＬ振動子の新しい用途として、ドライバによる触覚フィードバック（Haptic feedback）が提供されうる。
【０１１７】
オーディオ装置の特性が以下によって特徴付けられる。
オンボードオーディオ：１２８ボイスポリフォニー（128-Voice Polyphony）、
キューコンサートプラス（QconcertPlus）、ドルビー５．１サラウンド、
エコー及びノイズキャンセル。
追加のＡＮＣ（オーディエンス）。
２マイクロフォン。
ＮＸＴ社のディスプレイの表面音（スピーカーなし）
深いステレオ表面音
非従来型スピーカー
適応型ノイズキャンセル
【０１１８】
ケース及び材料は、以下によって特徴付けられる。
ケース：一つのブロック
材料：プラスチック又はテキシン（Texin）（登録商標）
【０１１９】
また、電話が閉状態の場合には隠れる主ディスプレイに加えて、二つの双安定性ディスプレイを含む折り畳み式の電話（例えば、クラムシェル）が提供されてもよい。双安定性ディスプレイ装置は、装置が閉状態の場合、電話の各主面にある。装置が閉状態であっても、受信したメッセージが両方の双安定性画面に表示されることが保証され、したがって、電話が閉状態であっても、装置がテーブル表面などに置かれた際にどちらの主面が上向きになるかにかかわらず、受信メッセージはユーザから視認できるのである。
【０１２０】
上記で説明した態様は、本発明の原理について例示的な適用にすぎないことを理解すべきである。本発明の趣旨及び範囲から逸脱することなく、数々の変更及び代替の態様を考え出すことができる。本発明は、図面に示され、上記に特性が完全に記載されており、現時点で最も実用的で好ましいと考えられる本発明の実施例について詳述されているが、当業者にとって、本明細書に記載した本発明の原理及び概念から逸脱することなく、数々の変更がなしうることは明らかである。
【０１２１】
［コンセプト（CONCEPTS）］
この開示には、複数のコンセプト（コンセプト「Ａ〜Ｂ」と記載される）がある。以下は、これらのコンセプトを定義するのに役立つだろう。
【０１２２】
［Ａ  バー形態のディスプレイ装置］
主正面と主背面を備えるバー形態のディスプレイ装置を提供する。主正面には、第１のディスプレイ画面が配置され、主背面には、第１のディスプレイ画面とは異なる第２のディスプレイ画面が配置される。
【０１２３】
第１のディスプレイは、正面ディスプレイ画面と称することもある。第２のディスプレイは、背面ディスプレイ画面と称することもある。上記は、追加構成として、下記の何れか一つ又は組み合わせたものを含んでもよい。
・第２のディスプレイ画面は、エレクトロウェッティング技術を使用する。
・第２のディスプレイ画面は、双安定性ディスプレイ画面である。
・バー形態のディスプレイ装置は、スレート型の装置である。
・バー形態のディスプレイ装置は、バー型又はキャンディバー型の装置である。
・バー形態のディスプレイ装置は、スラブ型である。
・バー形態のディスプレイ装置は、オフ状態で画像を表示する。
・バー形態のディスプレイ装置は、省電力通知モードで画像を表示する。
・バー形態のディスプレイ装置は、オフ状態又は省電力通知モードで双安定性ディスプレイに画像を表示する。
・バー形態のディスプレイ装置の第１のディスプレイ画面は、液晶ディスプレイ画面である。
・バー形態のディスプレイ装置の第１のディスプレイ画面は、アクティブマトリックス型有機発光ダイオードのディスプレイ画面である。
・装置外観は、コンテキスト関連性を有する。
・コンテキスト関連性を有する装置外観は、場所に基づく広告を含む。
・コンテキスト関連性を有する装置外観は、場所に基づく検索結果を含む。
・装置の見た目は、双安定性画面に表示される内容を変更することによって変更可能である。
・装置のスキンは、変更可能である。
・装置のスキンは、壁紙、写真、動画、ユーザがカスタマイズしたコンテンツのうちの一つ以上を用いる。
・装置の見た目は、異なる携帯電話ケースの外観を与えるように、双安定性画面に表示される内容を変更することによって変更可能である。
・装置の背面パネルには、双安定性アクティブマトリックス型で高解像度のディスプレイが提供される。
・背面パネルについて、ユーザは、他のものと自己の電話を区別するために、パターン、画像、アプリケーションのインタフェースを表示することができる。
・装置で実行する任意のアプリケーション又はサービスは、背面画面に通知を表示することができる。
・通知時間は、双安定性ディスプレイを使用しているため、制限されない。
・電話自体がオフになっても、情報は背面画面に残る。
・オフ状態において、背面の双安定性ディスプレイは内容を表示し続け、それらは外部照明を用いて視認可能である。
・背面は、電子インクの双安定性ディスプレイを有する。
・正面は、ＡＭＯＬＥＤディスプレイを有し、背面は、電子インクの双安定性ディスプレイを有する。
・オン状態では、正面は、後方から照明され、画像又は他のコンテンツを表示することができ、オン状態では、背面の双安定性ディスプレイも画像又は他のコンテンツを表示することができる。
・正面ディスプレイは、タッチスクリーンである。
・背面画面は、ガラスの下に設けられた電子ペーパーディスプレイである。
・背面画面は、グレースケールのパネルである。
・背面画面は、干渉変調技術を用いたパネルである。
・背面は、ケースの一部として知覚される。
・背面は、低消費電力である。
・背面画面の解像度は、正面ディスプレイの解像度に類似である。
・背面画面は、約４インチの画面サイズに対し、３００ｍＡｈの電気量を使用して、少なくとも１０００回程度の全画面の更新を提供する。
・背面画面の更新頻度は、毎分２回程度である。
・背面画面は、双安定性状態の場合、電力を消費しないか、又は電力を必要としない。
・背面画面の出力として、インタラクション、コントロール、ユースケース、パーソナライゼーション、ウィジェット、プライバシーのうちの何れか一つ以上が提供される。
・背面画面の出力として、ソーシャルアグリゲータの出力が提供される。
・背面画面の出力として、緯度経度（例えば、装置の緯度経度）が提供される。
・背面画面の出力として、場所（例えば、装置の場所）が提供される。
・背面画面の出力として、通知が提供される。
・背面画面の出力として、オペレータプッシュの出力が提供される。
・背面画面の出力として、ニュースサービスによって提供されるニュースが提供される。
・背面画面の出力として、ソーシャルメッセージングサービスによって提供されるソーシャルメッセージが提供される。
・背面画面の出力として、携帯電話の信号強度の指標が提供される。
・背面画面の出力として、バッテリーの充電状態の指標が提供される。
・背面画面の出力として、カレンダー情報が提供される。
・装置の背面ディスプレイは、装置が省電力通知モードで動作する場合、装置の唯一の動作可能なディスプレイとなる。
・装置が省電力通知モードで動作する場合、装置の背面ディスプレイは、一つ以上のカテゴリの更新コンテンツを表示する。かかるカテゴリは、ニュース、ソーシャルメッセージ、緊急通知、金融ニュース、地震、津波又は天気のうちの一つ以上を含む。
・装置が省電力通知モードで動作する場合、装置の背面ディスプレイは、一つ以上のカテゴリの更新コンテンツを表示する。かかるカテゴリは、事前に選択される。
・装置が省電力通知モードで動作する場合、装置の背面ディスプレイは、一つ以上のカテゴリの更新コンテンツを表示する。かかるカテゴリは、ユーザによって事前に選択される。
・装置が省電力通知モードで動作する場合、装置の背面ディスプレイは、一つ以上のカテゴリの更新コンテンツを表示する。かかるカテゴリは、ネットワークサービスのプロバイダによって事前に選択される。
・バー形態のディスプレイ装置において、装置で実行するアプリケーション又はサービスの一つは、第１の画面に通知を表示することできる。
・バー形態のディスプレイ装置において、装置で実行する何れのアプリケーション又はサービスも、第１の画面に通知を表示することできる。
・バー形態のディスプレイ装置において、メッセージが第１の画面及び第２の画面に提供される。
・バー形態のディスプレイ装置において、第２のディスプレイ画面の出力として、ソーシャルネットワークの画面が提供される。
・バー形態のディスプレイ装置において、第２のディスプレイ画面の出力として、ソーシャルアグリゲータの出力又はソーシャルネットワークの出力が提供される。
・バー形態のディスプレイ装置において、ソーシャルアグリゲータの出力又はソーシャルネットワークの出力は、フェイスブック（登録商標）のページである。
・バー形態のディスプレイ装置において、第２のディスプレイ画面の出力として、グーグル（登録商標）の検索ページが提供される。
・装置は、持ち運び可能である。
・装置は、携帯電話、ポータブルデジタルアシスタント、ラップトップ、又はタブレットコンピュータである。
・装置は、仮想キーボードを含む。
・装置は、タッチスクリーンを有する。
・装置は、それぞれがタッチスクリーンである二つの画面を有する。
・双安定性画面は、タッチスクリーンである。
・双安定性画面は、タッチスクリーンでない。
・双安定性画面でない画面は、タッチスクリーンである。
・装置は、第２の双安定性画面を含む。
・装置は、タッチスクリーンである第２の双安定性画面を含む。
・装置は、タッチスクリーンではない第２の双安定性画面を含む。
・双安定性画面は、それが配置されている装置の主面の面積の７０％以上を占める。
・双安定性画面は、それが配置されている装置の主面の面積の９０％以上を占める。
・双安定性画面は、それが配置されている装置の主面の面積の９５％以上を占める。
・双安定性画面以外の画面は、それが配置されている装置の主面の面積の７０％以上を占める。
・双安定性画面以外の画面は、それが配置されている装置の主面の面積の９０％以上を占める。
・双安定性画面以外の画面は、それが配置されている装置の主面の面積の９５％以上を占める。
・第２の双安定性画面は、それが配置されている装置の主面の面積の７０％以上を占める。
・第２の双安定性画面は、それが配置されている装置の主面の面積の９０％以上を占める。
・第２の双安定性画面は、それが配置されている装置の主面の面積の９５％以上を占める。
・装置は、その二つの主面の間に設けられた一つのバックライトモジュールを備える。
・一つのバックライトモジュールは、一つの主面の一つのディスプレイを照明する。
・一つのバックライトモジュールは、他方のディスプレイと対向するように装置の異なる主面に設けられたそれぞれの二つのディスプレイを照明する。
・装置は、二つのバックライトモジュールを備え、それぞれが装置の主面に設けられたディスプレイを照明する。
・二つのバックライトモジュールは、装置の二つのディスプレイの間に設けられ、各ディスプレイは、他のディスプレイと対向するように異なる装置の主面に設けられる。
【０１２４】
［Ｂ  バー形態のディスプレイ装置に低消費電力で通知メッセージを提供する方法］
低消費電力で動作するバー形態のディスプレイ装置に通知メッセージを提供する方法において、バー形態のディスプレイ装置は、主正面と主背面を備え、主正面には、第１のディスプレイ画面が配置され、主背面には、第１のディスプレイ画面とは異なる第２のディスプレイ画面が配置され、第２のディスプレイ画面は、双安定性ディスプレイ画面であって、本方法は、以下のステップを含む。
（i）第１のディスプレイ画面がオフであって、装置が通知メッセージを受信するように動作可能である省電力通知モードにおいて、装置を動作させるソフトウェアを装置で実行する。
（ii）装置のソフトウェアは、通知メッセージを受信する。
（iii）双安定性ディスプレイ画面に通知メッセージを表示する。
【０１２５】
第１のディスプレイ画面は、正面ディスプレイ画面と称することもある。第２のディスプレイ画面は、背面ディスプレイ画面と称することもある。上記は、追加構成として、下記の何れか一つ又は組み合わせたものを含んでもよい。
・ソフトウェアは、通知メッセージが新しい通知メッセージであるか判定し、双安定性ディスプレイ画面は、通知メッセージが新しい通知メッセージである場合にのみ更新される。
・通知メッセージは、通知メッセージプロバイダからのものである。
・装置のソフトウェアは、通知メッセージプロバイダからの通知メッセージを受信する。
・通知メッセージを少ない更新頻度で双安定性ディスプレイ画面に表示する。
・通知メッセージは、画像を含む。
・通知メッセージは、テキストを含む。
・装置で実行されるアプリケーション又はサービスの一つは、背面画面に通知メッセージを表示することができる。
・装置で実行される何れのアプリケーション又はサービスも、背面画面に通知メッセージを表示することができる。
・通知メッセージの表示時間は、双安定性ディスプレイを使用しているので、制限されない。
・通知メッセージは、電話自体をオフにしても背面画面に残る。
・背面は、電子インクの双安定性ディスプレイを有する。
・背面画面は、ガラスの下に設けられる電子ペーパーディスプレイである。
・背面画面には、干渉変調ディスプレイ技術を使用する。
・背面画面の解像度は、正面ディスプレイの解像度に類似である。
・背面画面は、約４インチの画面サイズに対し、３００ｍＡｈの電気量を使用して、少なくとも１０００回程度の全画面の更新を提供する。
・背面画面の更新頻度は、毎分２回程度である。
・通知メッセージは、一つ以上のカテゴリのものであり、かかるカテゴリは、ニュース、ソーシャルメッセージ、緊急通知、金融ニュース、地震、津波又は天気のうちの一つ以上を含む。
・通知メッセージは、ソーシャルネットワークの画面に提供されるソーシャルネットワークのメッセージである。
・通知メッセージは、フェイスブック（登録商標）のページに提供されるソーシャルネットワークのメッセージである。
・通知メッセージは、ソーシャルメッセージングサービスによって提供されるソーシャルメッセージである。
・通知メッセージは、ソーシャルネットワーキングサービスによって提供されるソーシャルメッセージである。
・通知メッセージは、一つ以上のカテゴリのものであり、かかるカテゴリは事前に選択される。
・通知メッセージは、一つ以上のカテゴリのものであり、かかるカテゴリはユーザによって事前に選択される。
・通知メッセージは、一つ以上のカテゴリのものであり、かかるカテゴリはネットワークサービスプロバイダによって事前に選択される。
・通知メッセージは、ブログサイトからのテキストメッセージである。
・通知メッセージは、プライバシーが制御されたものである。
・画面の最大更新頻度は、ソフトウェアにおいてユーザが設定可能なパラメータである。
・装置は、持ち運び可能である。
・装置は、携帯電話、ポータブルデジタルアシスタント、ラップトップ、デジタルオーディオプレーヤー（例えば、ｉＰｏｄ（登録商標））、又はタブレットコンピュータ（例えば、ｉＰａｄ（登録商標））である。
・装置は、仮想キーボードを含む。
・装置は、タッチスクリーンを有する。
・装置は、タッチスクリーンを有する。
・双安定性ディスプレイ画面のスキンを変更するステップを含む。
・双安定性ディスプレイ画面のスキンを変更するステップは、壁紙、写真、動画、又はユーザがカスタマイズしたコンテンツのうちの一つ以上を含むスキンを提供する。
・コンテキスト関連性を有するコンテンツを双安定性ディスプレイ画面に提供するステップを含む。
・コンテキスト関連性のコンテンツを双安定性ディスプレイ画面に提供するステップは、場所に基づく広告を提供することを含む。
・コンテキスト関連性のコンテンツを双安定性ディスプレイ画面に提供するステップは、場所に基づく検索結果を提供することを含む。
【図１】
2013545334.tif 000003
【図２】
2013545334.tif 000004
【図３】
2013545334.tif 000005
【図４】
2013545334.tif 000006
【図５】
2013545334.tif 000007
【図６】
2013545334.tif 000008
【図７】
2013545334.tif 000009
【国際調査報告】
2013545334.tif 000010
2013545334.tif 000011
2013545334.tif 000012
2013545334.tif 000013
2013545334.tif 000014